【事件の表示】
　上記当事者間の登録第５９４００５０号商標の商標登録無効審判事件について，次のとおり審決する。
【結　論】
　登録第５９４００５０号の登録を無効とする。
　審判費用は被請求人の負担とする。
【理　由】
第１　本件商標
　本件登録第５９４００５０号商標（以下「本件商標」という。）は，別掲１に示すとおりの構成よりなり，平成２７年１０月２６日に登録出願，第２５類「被服，帽子，ガーター，靴下止め，ズボンつり，バンド，ベルト，履物，運動用特殊衣服，運動用特殊靴」を指定商品として，同２９年３月２３日に登録査定，同年４月１４日に設定登録されたものである。
第２　引用商標
（１）登録第２３５３９０８号（以下「引用商標１」という。）
　　商標の構成　別掲２のとおり
　　登録出願日　平成元年１月２４日
　　設定登録日　平成３年１１月２９日
　　指定商品　　第２５類「被服」
　なお，指定商品は，平成１６年１月２１日に指定商品の書換登録，平成２３年７月１９日に存続期間の更新登録がなされ，その指定商品の区分は，第２０類，第２４類及び第２５類に減じられ，その後，商標登録の取消審判により，指定商品中，第２０類「全指定商品」について取り消すべき旨の審決がされ，平成３０年７月６日にその確定審決の登録がされ，及び商標登録の取消審判により，指定商品中，第２４類「全指定商品」について取り消すべき旨の審決がされ，平成３０年７月１０日にその確定審決の登録がされた結果，上記のとおりとなった。
（２）登録第４４２７４７５号（以下「引用商標２」という。）
　　商標の構成　別掲３のとおり
　　登録出願日　平成１１年１２月３日
　　設定登録日　平成１２年１０月２７日
　　指定商品　　第２６類「編みレース生地，刺しゅうレース生地，組みひも，テープ，リボン，房類，ボタン類，針類，編み棒，裁縫箱，裁縫用へら，裁縫用指抜き，針刺し，針箱（貴金属製のものを除く。），被服用はとめ，衣服用き章（貴金属製のものを除く。），衣服用バッジ（貴金属製のものを除く。），衣服用バックル，衣服用ブローチ，帯留，ボンネットピン（貴金属製のものを除く。），ワッペン，腕章，腕止め，頭飾品，つけあごひげ，つけ口ひげ，ヘアカーラー（電気式のものを除く。），靴飾り（貴金属製のものを除く。），靴はとめ，靴ひも，靴ひも代用金具，造花，漁網製作用杼，メリヤス機械用編針」
（３）登録第４４６９４４２号（以下「引用商標３」という。）
　　商標の構成　別掲４のとおり
　　登録出願日　平成１０年１２月１１日
　　設定登録日　平成１３年４月２０日
　　指定商品　　第２５類「履物（「靴合わせくぎ・靴くぎ・靴の引き手・靴びょう・靴保護金具」を除く）」
（４）登録第４８０５２５９号（以下「引用商標４」という。）
　　商標の構成　別掲５のとおり
　　登録出願日　平成１２年９月２９日
　　設定登録日　平成１６年９月２４日
　　指定商品　　第２５類「被服」
（５）登録第４８７１７２７号（以下「引用商標５」という。）
　　商標の構成　別掲６のとおり
　　登録出願日　平成１３年２月２日
　　設定登録日　平成１７年６月１７日
　　指定商品　　第２５類「被服，仮装用衣服」
　なお，指定商品は，平成２７年６月２日に存続期間の更新登録がなされ，その指定商品の区分は，第２５類に減じられ，上記のとおりとなった。
（６）登録第４９３５６５４号（以下「引用商標６」という。）
　　商標の構成　別掲７のとおり
　　登録出願日　平成１３年６月２６日
　　設定登録日　平成１８年３月１０日
　　指定商品　　第２５類「履物（「靴合わせくぎ・靴くぎ・靴の引き手・靴びょう・靴保護金具」を除く）」
（７）登録第５４３８３１８号（以下「引用商標７」という。）
　　商標の構成　別掲８のとおり
　　登録出願日　平成２１年５月２２日
　　設定登録日　平成２３年９月１６日
　　指定商品　　第１８類「愛玩動物用被服類，かばん類，袋物，傘，乗馬用具」及び第２８類「遊戯用器具，おもちゃ，人形，運動用具」，並びに，第１２類，第１４類，第２１類，第２９類及び第３２類に属する商標登録原簿記載のとおりの商品
（８）登録第５４３８５２５号（以下「引用商標８」という。）
　　商標の構成　別掲９のとおり
　　登録出願日　平成２３年４月４日
　　設定登録日　平成２３年９月１６日
　　指定商品　　第９類「保安用ヘルメット，電気通信機械器具，防じんマスク，防毒マスク，溶接マスク，眼鏡，浮袋，運動用保護ヘルメット，水泳用浮き板，映写フィルム，スライドフィルム，スライドフィルム用マウント，インターネットを利用して受信し，及び保存することができる画像ファイル，録画済みビデオディスク及びビデオテープ」
（９）登録第５４５５２７８号（以下「引用商標９」という。）
　　商標の構成　別掲９のとおり
　　登録出願日　平成２０年１月１０日
　　設定登録日　平成２３年１２月９日
　　指定商品及び指定役務　第２８類「おもちゃ，人形，運動用具」，並びに，第３類，第５類，第１２類，第１８類，第２１類，第２９類，第３０類，第３２類，第３４類及び第３８類に属する商標登録原簿記載のとおりの商品及び役務
　なお，引用商標１ないし９は，いずれも登録商標として現に有効に存続しているものである（以下，これら９件の商標をまとめていうときは「引用商標」という。）。
第３　請求人の主張
　請求人は，結論同旨の審決を求め，本件商標は請求人に係る商標登録出願（２０１７−９７７１１，２０１７−１１０７７５，２０１７−１０９７６７）の審査において引用された登録商標（一部登録出願中のものを含む。）の関係を踏まえると，登録第２３５３９０８号（引用商標１），登録第４４２７４７５号（引用商標２），登録第４４６９４４２号（引用商標３），登録第４８０５２５９号（引用商標４），登録第４８７１７２７号（引用商標５），登録第４９３１５８７号，登録第４９３５６５４号（引用商標６），登録第５３５５３６０６号，登録第５８８３９１２号及び登録第５２７２１４３号と類似するものであって，商標法第４条第１項第１１号に該当するから，無効とすべきである旨主張し，証拠方法として，甲第１号証を提出した。
　なお，請求人は，本件商標は商標登録出願２０１７−７３６０号商標とも類似する旨主張していたが，商標登録出願２０１７−７３６０号商標は，拒絶査定に対する審判により，登録することができない旨の審決がされ，平成３１年１月９日に確定した。
第４　当審における無効理由
　当審において，本件商標権者に対して平成３０年１２月２０日付けで通知した無効理由の内容は，要旨以下のとおりである。
　本件商標は，引用商標と類似し，その指定商品も，引用商標の指定商品と同一又は類似するから，商標法第４条第１項第１１号に該当する。
第５　被請求人の答弁
　審判長は，上記第４の無効理由を通知し，期間を指定して意見書を提出する機会を与えたが，本件商標権者は，何ら意見を述べていない。
第６　当審の判断
１　商標法第４条第１項第１１号該当性について
（１）本件商標について
　本件商標は，右下に３分の１程度切れている円弧内の上部に目と思しき小さい黒塗りの縦長楕円形を二つ並べ，その下に口と思しき両端上がりの弧線を描いた図形（後述のとおり，当該図形は人の笑顔を簡潔に表現したものであり，当該顔はやや左に傾いている。）と，その切れている円弧の右下部分に重ねて，円弧を補うように筆記体で書した「Ｒｉｃｃｏｍｏ」の文字からなるものである。そして，本件商標の「Ｒｉｃｃｏｍｏ」の文字部分については，ありふれた筆記体で書されている上，図形部分に比してかなり小さく表示されている。そのため，本件商標中の円弧は，円周全体の３分の２程に達し，「Ｒｉｃｃｏｍｏ」の文字部分が筆記体で各文字がつながるように書され，切れている部分を補うように表されていることもあいまって，円弧がつながった円輪郭を認識させるものである。
　以上からすると，本件商標は，図形部分及び文字部分よりなるとしても，全体として，円輪郭内に目と口を配し，一見して，人の笑顔を簡潔，かつ，象徴的に表現した図形と看取できるものである。
（２）引用商標について
　引用商標中，引用商標１，２，５及び７ないし９は，いずれも円輪郭内の上部に目と思しき小さい黒塗りの縦長楕円形を２つ並べ，この２つの黒塗りの縦長楕円形の下に口と思しき両端上がりの弧線を描いたものであり，一見して，人の笑顔を簡潔，かつ，象徴的に表現したものと認識され得る。また，引用商標３，４及び６は，引用商標１，２，５及び７ないし９と同様の構成の図形部分とその外部下に活字体で「ＳＭＩＬＥ　＆　ＳＭＩＬＥＹ」と横書きした文字部分からなるもの（引用商標３，６），及び同様の構成の図形部分とその外部上に活字体で「ＬＯＶＥ　ＥＡＲＴＨ」とアーチ状に横書きした文字部分からなるもの（引用商標４）である。図形部分と文字部分を組み合わせた引用商標３，４及び６は，いずれも円輪郭の外縁近くの外部下又は上に文字部分を配置したものであり，これらの文字部分は視覚上分離して認識されるものであって，その構成中，人の笑顔を簡潔，かつ，象徴的に描写した図形部分が見る者の注意を惹き，見る者に強い印象を与えるものであるということができるから，各図形部分は，文字部分とは切り離して，独立して自他商品の識別標識としての機能を発揮するものと認めるのが相当である。
（３）本件商標図形と引用商標の対比について
　本件商標と引用商標１，２，５及び７ないし９，並びに，引用商標３，４及び６の図形部分とは，いずれも互いに，円輪郭内部に配された２つの小さい黒塗りの縦長楕円形及びその下方に配した両端上がりの弧線を構成要素とし，これらが円形の顔に目と口で人の笑顔を簡潔，かつ，象徴的に描写したものと看取される点において共通するものであるから，顔の傾き，各構成要素の長さ，太さ及び曲率等においてぞれぞれ微妙に相違するものの，上記の構成要素の全てを共通にするものであるため，見る者に近似の印象を与えるものというべきである。
　以上よりすると，本件商標と引用商標を時と場所を異にして離隔的に観察したとき，本件商標と引用商標１，２，５及び７ないし９，並びに，引用商標３，４及び６の図形部分の微妙な相違によって，本件商標と引用商標を区別することは困難であるといわざるを得ないから，本件商標と引用商標は，外観において類似するものというべきである。
（４）本件商標の指定商品と引用商標の指定商品の類否について
　ア　本件商標の指定商品中，第２５類「被服，帽子」は，引用商標１，４及び５の指定商品中，第２５類「被服」と同一又は類似の商品である。
　イ　本件商標の指定商品中，第２５類「ガーター，靴下止め，ズボンつり，バンド，ベルト」は，引用商標２の指定商品中，第２６類「腕止め」と類似の商品である。
　ウ　本件商標の指定商品中，第２５類「履物」は，引用商標２の指定商品中，第２６類「靴飾り（貴金属製のものを除く。），靴はとめ，靴ひも，靴ひも代用金具」，並びに，引用商標３及び６の指定商品中，第２５類「履物（「靴合わせくぎ・靴くぎ・靴の引き手・靴びょう・靴保護金具」を除く）」と同一又は類似の商品である。
　エ　本件商標の指定商品中，第２５類「運動用特殊衣服，運動用特殊靴」は，引用商標７の指定商品中，第１８類「乗馬用具」及び第２８類「運動用具」，引用商標８の指定商品中，第９類「浮袋，運動用保護ヘルメット，水泳用浮き板」，並びに，引用商標９の指定商品中，第２８類「運動用具」と類似の商品である。
（５）小括
　以上のとおり，本件商標は，引用商標と類似し，その指定商品も，引用商標の指定商品と同一又は類似するから，商標法第４条第１項第１１号に該当する。
２　むすび
　以上のとおり，本件商標は，商標法第４条第１項第１１号に違反して登録されたものであるから，同法第４６条第１項の規定に基づき，その登録を無効にすべきものである。
　よって，結論のとおり審決する。